【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
第１の導電体と、第２の導電体と、前記第１の導電体と前記第２の導電体との間の絶縁間隔と、を含む交流または直流の送電システムであって、前記送電システムは更に、電場の計測装置を含み、前記電場の計測装置は、
誘電性の材料から成り、第１の開端部と、前記第１の開端部と対向する第２の開端部とを規定するハウジングと、
光源に接続されている第１の光学ファイバと、
前記第１の開端部において前記ハウジングに、前記第１の光学ファイバと光学的に連続して備え付けられている第１の光学レンズと、
前記第１の光学レンズと光学的に連続して、前記ハウジングに備え付けられる円偏光フィルタと、
前記円偏光フィルタと光学的に連続して、前記ハウジングに受けられ、内部に封入された結晶棒であって、電気光学特性を有する材料から成る、結晶棒と、
前記結晶棒と光学的に連続して、前記ハウジングに備え付けられる直線偏光フィルタと、
前記第２の開端部において前記ハウジングに、前記直線偏光フィルタと光学的に連続して備え付けられる第２の光学レンズと、
前記第２の光学レンズと光学的に連続する第２の光学ファイバであって、光検知部に接続されている、第２の光学ファイバと、を含み、前記電場の計測装置は、前記絶縁間隔の範囲内に、前記第１の導電体に隣接して配置され、前記結晶棒と前記第１の導電体との間で第１の最小距離を規定し、前記結晶棒と前記第２の導電体との間で第２の最小距離を規定し、前記第２の最小距離は、前記第１の最小距離より少なくとも１０倍大きく、例えば１００倍、好ましくは１０００倍、より好ましくは１００００倍、最も好ましくは１０００００倍大きい、交流または直流の送電システム。
【請求項２】
請求項１に記載の送電システムであって、前記第１の導電体は、架空線または架空線上に電気的に接続された金属体を含む、送電システム。
【請求項３】
請求項１または２に記載の送電システムであって、前記第２の導電体は、前記第１の導電体に対して絶縁されている金属体を含む、送電システム。
【請求項４】
請求項１から３のいずれか一つに記載の送電システムであって、前記第２の導電体は、アースを構成する、送電システム。
【請求項５】
請求項１から４のいずれか一つに記載の送電システムであって、前記送電システムの前記第１の導電体は、０．１ｋＶから１０００ｋＶの間の、好ましくは１ｋＶから５００ｋＶの間の、より好ましくは５ｋＶから１００ｋＶの間の、最も好ましくは１０ｋＶから５０ｋＶの間の定格電圧を有する、送電システム。
【請求項６】
請求項１から５のいずれか一つに記載の送電システムであって、前記結晶棒は、前記送電システムが定格電圧において稼働されているとき、１＊１０４Ｖ／ｍから１．２＊１０８Ｖ／ｍの間の、好ましくは１＊１０５Ｖ／ｍから１．２＊１０７Ｖ／ｍの間の有効な電場の強さにさらされている、送電システム。
【請求項７】
請求項１から６のいずれか一つに記載の送電システムであって、前記第１の最小距離は、０．１ｍｍから１００ｍｍの間であり、好ましくは１ｍｍから１０ｍｍの間である、送電システム。
【請求項８】
請求項１から７のいずれか一つに記載の送電システムであって、前記第２の最小距離は、０．１ｍから１００ｍの間であり、好ましくは１ｍから１０ｍの間である、送電システム。
【請求項９】
請求項１から８のいずれか一つに記載の送電システムであって、前記結晶棒を通る光路は、前記第１の導電体における電場に対して実質的に平行に向けられ、又は代わりに、前記結晶棒を通る光路は、前記第１の導電体における電場に対して実質的に垂直に向けられる、送電システム。
【請求項１０】
請求項１から９のいずれか一つに記載の送電システムであって、前記円偏光フィルタは、４分の１波長板及び直線偏光板から成る、送電システム。
【請求項１１】
請求項１か１０のいずれか一つに記載の送電システムであって、前記結晶棒は、ポッケルス効果を示し、前記結晶棒が好ましくはリン酸カリウムから成る、送電システム。
【請求項１２】
請求項１から１１のいずれか一つに記載の送電システムであって、前記電場の計測装置は更に、
前記ハウジングの前記第１の開端部を封止するための第１の封止手段であって、前記第１の光学ファイバを受けるためのアパーチャを有する、第１の封止手段と、
前記ハウジングに対して前記第１の光学ファイバを固定するための第１の固定手段と、
前記第１の光学レンズに対して取り付けられていれるとともに、前記第１の固定手段を受けるのに適している第１の受け部と、
前記ハウジングに対して前記第２の光学ファイバを固定するための第２の固定手段と、
前記第２の光学レンズに対して取り付けられていれるとともに、前記第２の固定手段を受けるのに適している第２の受け部と、
前記ハウジングの前記第２の開端部を封止するための第２の封止手段であって、前記第２の光学ファイバを受けるためのアパーチャを有する第２の封止手段と、
それぞれが、前記ハウジングの前記第１および第２の開端部に対して固定される第１および第２の蓋であって、それぞれ前記第１および第２の光学ファイバを受けるためのアパーチャを包含する、第１および第２の蓋と、を含む送電システム。
【請求項１３】
請求項１から１２のいずれか一つに記載の送電システムであって、前記ハウジングは、プラスチックなどの高分子材料から成る、送電システム。
【請求項１４】
第１の導電体の、絶縁間隔によって前記第１の導電体から間隔を隔てられた第２の導電体に対する電圧を計測する方法であって、前記方法は、電場の計測装置を提供するステップを含み、前記電場の計測装置は、
誘電性の材料から成り、第１の開端部と、前記第１の開端部と対向する第２の開端部とを規定するハウジングと、
光源に接続されている第１の光学ファイバと、
前記第１の開端部において前記ハウジングに、前記第１の光学ファイバと光学的に連続して備え付けられている第１の光学レンズと、
前記第１の光学レンズと光学的に連続して、前記ハウジングに備え付けられる円偏光フィルタと、
前記円偏光フィルタと光学的に連続して、前記ハウジングに受けられ、前記ハウジング内部に封入された結晶棒であって、電気光学特性を有する材料から成る、結晶棒と、
前記結晶棒と光学的に連続して、前記ハウジングに備え付けられる直線偏光フィルタと、
前記第２の開端部において前記ハウジングに、前記直線偏光フィルタと光学的に連続して備え付けられる第２の光学レンズと、
前記第２の光学レンズと光学的に連続する第２の光学ファイバであって、光検知部に接続されている、第２の光学ファイバと、を含み、
前記方法は、更に以下のステップを含む、すなわち、
前記結晶棒と前記第１の導電体との間で規定される第１の最小距離が、前記結晶棒と前記第２の導電体との間で規定される第２の最小距離より少なくとも１０倍大きく、例えば１００倍、好ましくは１０００倍、より好ましくは１００００倍、最も好ましくは１０００００倍大きいように、前記電場の計測装置を、前記絶縁間隔の範囲内に前記第１の導電体に隣接して配置するステップと、
前記光源が放射する光と前記光検知部が検知する光の間の相対的な遅延を検知するステップと、を含む、方法。
【請求項１５】
送電システムに包含される電場の計測装置を調整する方法であって、前記送電システムは、既知の電圧を有する第１の導電体と、別の既知の電圧を有する第２の導電体と、前記第１の導電体と前記第２の導電体との間の絶縁間隔と、を含み、前記電場の計測装置は、
誘電性の材料から成り、第１の開端部と、前記第１の開端部と対向する第２の開端部とを規定するハウジングと、
光源に接続されている第１の光学ファイバと、
前記第１の開端部において前記ハウジングに、前記第１の光学ファイバと光学的に連続して備え付けられている第１の光学レンズと、
前記第１の光学レンズと光学的に連続して、前記ハウジングに備え付けられる円偏光フィルタと、
前記円偏光フィルタと光学的に連続して、前記ハウジングに受けられ、前記ハウジング内部に封入された結晶棒であって、電気光学特性を有する材料から成る、結晶棒と、
前記結晶棒と光学的に連続して、前記ハウジングに備え付けられる直線偏光フィルタと、
前記第２の開端部において前記ハウジングに、前記直線偏光フィルタと光学的に連続して備え付けられる第２の光学レンズと、
前記第２の光学レンズと光学的に連続する第２の光学ファイバであって、光検知部に接続されている、第２の光学ファイバと、を含み、前記電場の計測装置は、前記絶縁間隔の範囲内に前記第１の導電体に隣接して配置され、前記結晶棒と前記第１の導電体との間で第１の最小距離を規定し、前記結晶棒と前記第２の導電体との間で第２の最小距離を規定し、前記第２の最小距離は、前記第１の最小距離より少なくとも１０倍大きく、例えば１００倍、好ましくは１０００倍、より好ましくは１００００倍、最も好ましくは１０００００倍大きく、
前記方法が含むステップには、
前記光源が放射する光と前記光検知部が検知する光の間の相対的な遅延を検知するステップと、
前記相対的な回転と、前記既知の電圧とに基づいて、調整定数を計算するステップと、
が存する方法。
【請求項１６】
請求項１から１３のいずれか一つに記載の送電システムであって、前記絶縁間隔は、Ｎ２又はＳＦ６、好ましくは大気気体によって満たされた空間などの気体で絶縁された空間を構成する、送電システム。